(57)【要約】  電気抵抗素子の端子（２、３）のための弾性支持装置（１）であって、端子が、本体（５）を垂直に貫通し、かつ、本体の上面（６）に対して取り付けられており、端子（２、３）は下方へ延びる軸状素子の形状で抵抗素子のホットゾーン（４）へ繋がり、ホットゾーン（４）が一つ又はいくつかの軸状体（７、８）の本体の下面（１１）に取り付けられたフック（９、１０）によって支持される、弾性支持装置（１）。この発明は、弾性支持装置（１）が、それぞれの端子のために本体（５）の上面（６）に対して取り付けられる第１の取付け具（１２）及び端子に対し取り付けられる第２の取付け具（１３、１４）を具備し、かつ、弾性構造体（１５）が第１の取付け具（１２）と、第２の取付け具（１３、１４）との間に介装されて、弾性構造体（１５）は、第２の取付け具（１３、１４）の第１の取付け具（１２）に対する垂直方向への移動を可能にするように配置されることを特徴とした、弾性支持装置（１）。
2011507157.tif 000002
【特許請求の範囲】
【請求項１】
電気抵抗素子の端子（２、３）のための弾性支持装置（１）であって、
端子が本体（５）を垂直に貫通し、かつ、本体の上面（６）に対して取り付けられており、
端子（２、３）は、下方へ延びる軸状素子の形状で抵抗素子のホットゾーン（４）へ繋がり、
ホットゾーン（４）の一つ又はいくつかの軸状体（７、８）が本体の下面（１１）に取り付けられたフック（９、１０）によって支持される、
弾性支持装置（１）において、
弾性支持装置（１）が、それぞれの端子のために本体（５）の上面（６）に対して取り付けられる第１の取付け具（１２）及び端子に対し取り付けられる第２の取付け具（１３、１４）を具備し、かつ、
弾性構造体（１５）が第１の取付け具（１２）と、第２の取付け具（１３、１４）との間に介装されて、弾性構造体（１５）は、第２の取付け具（１３、１４）の第１の取付け具（１２）に対する垂直方向への移動を可能にするように配置されることを特徴とした、弾性支持装置（１）。
【請求項２】
請求項１に記載の弾性支持装置であって、
弾性構造体（１５）は、本体の上面に本質的に平行に配向される板バネを具備することを特徴とした、弾性支持装置。
【請求項３】
請求項１又は２に記載の弾性支持装置であって、
弾性構造体（１５）は、互いに平行に配置された２枚の板バネ（１６、１７）を具備することを特徴とした、弾性支持装置。
【請求項４】
請求項１、２又は３に記載の弾性支持装置であって、
弾性構造体（１５）は、少なくとも端子（２、３）及びその電気コネクターの重量に相当する上方に向けられた弾性力を有することを特徴とした、弾性支持装置。
【発明の詳細な説明】
【技術分野】
【０００１】
この発明は、電気抵抗素子の端子のための弾性支持装置（ｓｕｓｐｅｎｓｉｏｎ  ａｒｒａｎｇｅｍｅｎｔ）に関する。
【背景技術】
【０００２】
ある型の電気抵抗素子は、端子が貫通する本体の形状をしたホルダーに垂直に弾性支持される。通常、素子はいくつかの軸状体（ｓｈａｎｋ）を有し、それにより、素子の上方屈曲域は、ホルダーに取り付けられた、フックの形状をしたホットゾーン取付け具に吊下げられている。さらに、端子は、このようにして、端子の重量に耐えるためにホルダーの上面に取り付けられる。高温状態にある素子は、端子の重量に耐えることができない。
【０００３】
ホットゾーン（ｈｏｔ  ｚｏｎｅ）と、ホットゾーン取付け具と、端子とのすべては、加熱されると長くなる。端子の各ホルダーと、ホットゾーンの上部分の高さ位置との間の端子の延長分は、ホットゾーン取付け具の延長分よりも大きい。その結果、第１のホットゾーン軸状体に移動される端子の重量の結果、当該軸状体の変形が起こる。
【０００４】
逆の工程は冷却中に起こる、つまり端子は、ホットゾーンアッタッチメントよりも比較的に大きく収縮する。端子の収縮は、素子の全体が引き上げられ、かつ、二つの端子ホルダーに係止するという状況を引き起こす。この状況下において、ホットゾーンに印加される荷重の減少はない。
【０００５】
その後の加熱作用の間に、ホットゾーンは、端子よりも早く加熱され、それにより、弾性支持点同士間のアンバランスが、ホットゾーンの変形を介してバランスを取る。
【発明の概要】
【発明が解決しようとする課題】
【０００６】
温度の周期的変化の間に起きるこの反復を制御することは不可能であり、それにより、素子システムの変形は段階的に増大し、素子の破損を招来するおそれがある。
【０００７】
この発明は、この課題を解決することにある。
【課題を解決するための手段】
【０００８】
したがって、この発明は、電気抵抗素子の端子のための弾性支持装置であって、端子が本体を垂直に貫通し、かつ、本体の上面に対して取り付けられており、端子は下方へ延びる軸状素子（ｓｈａｎｋ  ｅｌｅｍｅｎｔ）の形状で抵抗素子のホットゾーンへ繋がり、ホットゾーンの一つ又はいくつかの軸状体が本体の下面に取り付けられたフックによって支持される、弾性支持装置において、弾性支持装置が、それぞれの端子のために本体の上面に対して取り付けられる第１の取付け具及び端子に対し取り付けられる第２の取付け具を具備し、かつ、弾性構造体が第１の取付け具と、第２の取付け具との間に介装されて、弾性構造体は、第２の取付け具の第１の取付け具に対する垂直方向への移動を可能にするように配置されることを特徴とした、弾性支持装置に関する。
【図面の簡単な説明】
【０００９】
【図１】この発明による弾性支持装置を示す正面図。
【図２】図１に記載の弾性支持装置を示す側面図。
【発明を実施するための形態】
【００１０】
この発明は、添付の図に示される、この発明の実施形態に部分的に関連して、以下により詳細に説明される。
【００１１】
図１は、電気抵抗素子４の端子２、３の弾性支持装置１を示す。端子は本体５を垂直に貫通し、本体５の上面６に対して取り付けられる。端子は軸状素子の形状をした、端子２、３から下方へ延びる抵抗素子４のホットゾーンへ繋がる。ホットゾーン４の軸状体７、８の一つ又はいくつかは、本体の下面１１に取り付けられ、フック９、１０で支持される。
【００１２】
この発明によれば、弾性支持装置１は、各端子２、３のために、第１の取付け具が本体５の上面６に対して取り付けられ、かつ、第２の取付け具は、弾性構造体１５が第１の取付け具１２及び第２の取付け具１３、１４の間を渡し、端子２、３に対して取り付けられ、弾性構造体１５は、第２の取付け具１３、１４が第１の取付け具１２に対して垂直方向に移動を可能にするように、配置されている、
【００１３】
端子及び抵抗素子を有する本体は、例えば炉の天井の孔に、挿入されて配置される、したがって、端子は炉の天井の上に突出し、抵抗素子のホットゾーンは炉の内部に置かれる。
【００１４】
好ましいひとつの実施形態によれば、弾性構造体１５は、本体５の上面６に本質的に平行に配向される、板バネを具備する。
【００１５】
さらに好ましい実施形態によれば、弾性構造体１５は、互いに平行に配置された２枚の板バネ１６、１７を具備する。
【００１６】
大いに重要な実施形態によれば、弾性構造体１５は、少なくとも端子２、３及びその電気コネクターの重量に相当する上方に向けられた弾性力を有する。
【００１７】
このようにして、種々の温度での延び及び収縮と、ホットゾーンの移動とによる端子の垂直移動が、弾性構造体により可能になる。
【００１８】
したがって、冒頭で説明された課題は、回避される。
【００１９】
複数の実施形態を上記により説明してきた。しかしながら、弾性構造体は、端子の垂直移動を可能にするために弾性構造体において端子を弾性支持する他の構成を、この革新的な概念から逸脱することなく、作り出すことが可能であることは、明らかである。
【００２０】
したがって、この発明は、上記特定の実施形態に限られて見なされることなく、添付した特許請求の範囲によって特定される範囲内において変更することができる。
【図１】
2011507157.tif 000003
【図２】
2011507157.tif 000004
【国際調査報告】
2011507157.tif 000005
2011507157.tif 000006
2011507157.tif 000007